【手続補正書】
【提出日】平成17年3月1日(2005.3.1)
【手続補正１】
【補正対象書類名】特許請求の範囲
【補正対象項目名】請求項１
【補正方法】変更
【補正の内容】
【請求項１】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に圧力を生じる一対のスラスト軸受と前記中心軸に直角な方向に圧力を生じる３個のラジアル軸受とが含まれており、これらの３個のラジアル軸受には補助的なラジアル軸受が含まれており、この補助的なラジアル軸受は、ラジアル軸受用のらせん溝が設けられた表面部分とこの表面部分に隙間を有して対向した表面部分とを含み、これらの表面部分の隙間内には液体金属潤滑剤が通常に占めている領域と液体金属潤滑剤が通常には占めていない領域とがあり、これらの領域の容積比率は経時的に一定でないことを特徴とする回転陽極型Ｘ線管。
【手続補正２】
【補正対象書類名】特許請求の範囲
【補正対象項目名】請求項２
【補正方法】変更
【補正の内容】
【請求項２】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に圧力を生じる３個のスラスト軸受と前記中心軸に直角な方向に圧力を生じる２個のラジアル軸受とが含まれており、これらの３個のスラスト軸受には補助的なスラスト軸受が含まれており、この補助的なスラスト軸受は、スラスト軸受用のらせん溝が設けられた表面部分とこの表面部分に隙間を有して対向した表面部分とを含み、これらの表面部分の隙間内には液体金属潤滑剤が通常に占めている領域と液体金属潤滑剤が通常には占めていない領域とがあり、これらの領域の容積比率は経時的に一定でないことを特徴とする回転陽極型Ｘ線管。
【手続補正３】
【補正対象書類名】特許請求の範囲
【補正対象項目名】請求項８
【補正方法】変更
【補正の内容】
【請求項８】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に前記回転体を実質的に軸支する一対のスラスト軸受と前記中心軸に直角な方向に前記回転体を実質的に軸支する第１及び第２の２個のラジアル軸受と補助的な第３のラジアル軸受とが含まれており、この第３のラジアル軸受は前記端部開口に最も近い位置に配置されており、この第３のラジアル軸受よりも前記端部開口に近い位置に移動した液体金属潤滑剤をこの第３のラジアル軸受内に遠心力を利用して帰還させる帰還手段が設けられたことを特徴とする回転陽極型Ｘ線管。
【手続補正４】
【補正対象書類名】特許請求の範囲
【補正対象項目名】請求項１３
【補正方法】変更
【補正の内容】
【請求項１３】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記回転体は、前記Ｘ線ターゲットが取り付けられた第１の回転体部材と、これに隙間を保って同軸的に取り付けられた第２の回転体部材と、これに隙間を保って同軸的に取り付けられており前記動圧式すべり軸受を構成する第３の回転体部材とを含んでおり、これらの第１乃至第３の回転体部材のそれぞれの表面は結合されて実質的に閉じた空間を形成しており、この閉じた空間内に液体金属潤滑剤を投入する投入手段が前記第２の回転体部材に設けられていることを特徴とする回転陽極型Ｘ線管。
【手続補正５】
【補正対象書類名】特許請求の範囲
【補正対象項目名】請求項１９
【補正方法】変更
【補正の内容】
【請求項１９】
真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管の製造方法において、前記Ｘ線ターゲットが取り付けられた第１の回転体部材と、これに隙間を保って同軸的に取り付けられた第２の回転体部材と、これに隙間を保って同軸的に取り付けられており前記動圧式すべり軸受を構成する第３の回転体部材とを結合して前記回転体を組立てるとともに、これらの第１乃至第３の回転体部材のそれぞれの表面を結合して実質的に閉じた空間を形成する工程と、この閉じた空間内に液体金属潤滑剤を投入する投入手段を前記第２の回転体部材に設ける工程とを含むことを特徴とする回転陽極型Ｘ線管の製造方法。
【手続補正６】
【補正対象書類名】明細書
【補正対象項目名】００１７
【補正方法】変更
【補正の内容】
【００１７】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に圧力を生じる一対のスラスト軸受と前記中心軸に直角な方向に圧力を生じる３個のラジアル軸受とが含まれており、これらの３個のラジアル軸受には補助的なラジアル軸受が含まれており、この補助的なラジアル軸受は、ラジアル軸受用のらせん溝が設けられた表面部分とこの表面部分に隙間を有して対向した表面部分とを含み、これらの表面部分の隙間内には液体金属潤滑剤が通常に占めている領域と液体金属潤滑剤が通常には占めていない領域とがあり、これらの領域の容積比率は経時的に一定でないことを特徴とする回転陽極型Ｘ線管である。この回転陽極型Ｘ線管では、前記回転体が前記一対のスラスト軸受と、前記補助的なラジアル軸受を除く２個のラジアル軸受とで実質的に軸支されており、回転特性は実質的にこれらの動圧式すべり軸受で決められており、前記補助的なラジアル軸受は回転特性には実質的に関与せずに他の動圧式すべり軸受への液体金属潤滑剤の供給と、回転機構の内部から回転機構の外部に向って液体金属潤滑剤が漏出するのを防止する役割を負っている。前記補助的なラジアル軸受内には通常には液体金属潤滑剤で満たされていない部分が大きな割合を占めており、発生する圧力は通常は大きくない。前記回転体が回転しているときに前記補助的なラジアル軸受内に液体金属潤滑剤が押込まれると、この押込む圧力に対抗する圧力を生じる方向にらせん溝が設けられていて、この領域に液体金属潤滑剤が侵入すると反対方向の圧力がバランスしてそれ以上液体金属潤滑剤の境界が移動しなくなる。このようにして液体金属潤滑剤が押し出されるのが防止される。前記回転体が静止しているときには前記補助的なラジアル軸受内に液体金属潤滑剤が占めない空間が大きな割合を占めているので液体金属潤滑剤が内部の気体の膨張等で移動させられても前記補助的なラジアル軸受のらせん溝が設けられた領域から押し出される前に自ら破断して気体通路ができ、気体は排気される。このようにして前記補助的なラジアル軸受が液体金属潤滑剤の分布を自動的に適正化する。
【手続補正７】
【補正対象書類名】明細書
【補正対象項目名】００１８
【補正方法】変更
【補正の内容】
【００１８】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に圧力を生じる３個のスラスト軸受と前記中心軸に直角な方向に圧力を生じる２個のラジアル軸受とが含まれており、これらの３個のスラスト軸受には補助的なスラスト軸受が含まれており、この補助的なスラスト軸受は、スラスト軸受用のらせん溝が設けられた表面部分とこの表面部分に隙間を有して対向した表面部分とを含み、これらの表面部分の隙間内には液体金属潤滑剤が通常に占めている領域と液体金属潤滑剤が通常には占めていない領域とがあり、これらの領域の容積比率は経時的に一定でないことを特徴とする回転陽極型Ｘ線管である。この回転陽極型Ｘ線管では、前記回転体が前記２個のラジアル軸受と、前記補助的なスラスト軸受を除く２個のスラスト軸受とで実質的に軸支されており、回転特性は実質的にこれらの動圧式すべり軸受で決められており、前記補助的なスラスト軸受は回転特性には実質的に関与せずに他の動圧式すべり軸受への液体金属潤滑剤の供給と、回転機構の内部から回転機構の外部に向って液体金属潤滑剤が漏出するのを防止する役割を負っている。前記補助的なスラスト軸受内には通常には液体金属潤滑剤で満たされていない部分が大きな割合を占めており、発生する圧力は通常は大きくない。前記回転体が回転しているときに前記補助的なスラスト軸受内に液体金属潤滑剤が押込まれると、この押込む圧力に対抗する圧力を生じる方向にらせん溝が設けられていて、この領域に液体金属潤滑剤が侵入すると反対方向の圧力がバランスしてそれ以上液体金属潤滑剤の境界が移動しなくなる。このようにして液体金属潤滑剤が押し出されるのが防止される。前記回転体が静止しているときには前記補助的なスラスト軸受内に液体金属潤滑剤が占めない空間が大きな割合を占めているので液体金属潤滑剤が内部の気体の膨張等で移動させられても前記補助的なスラスト軸受のらせん溝が設けられた領域から押し出される前に自ら破断して気体通路ができ、気体は排気される。このようにして前記補助的なスラスト軸受が液体金属潤滑剤の分布を自動的に適正化する。
【手続補正８】
【補正対象書類名】明細書
【補正対象項目名】００２４
【補正方法】変更
【補正の内容】
【００２４】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記動圧式すべり軸受には前記中心軸に沿った方向に前記回転体を実質的に軸支する一対のスラスト軸受と前記中心軸に直角な方向に前記回転体を実質的に軸支する第１及び第２の２個のラジアル軸受と補助的な第３のラジアル軸受とが含まれており、この第３のラジアル軸受は前記端部開口に最も近い位置に配置されており、この第３のラジアル軸受よりも前記端部開口に近い位置に移動した液体金属潤滑剤をこの第３のラジアル軸受内に遠心力を利用して帰還させる帰還手段が設けられたことを特徴とする回転陽極型Ｘ線管である。この回転陽極型Ｘ線管では、予期しない原因で液体金属潤滑剤が前記第３のラジアル軸受よりも前記端部開口に近い位置に移動した場合でも、前記帰還手段によって前記第３のラジアル軸受内に戻され、液体金属潤滑剤が前記真空空間に到達しないので放電などの不都合が発生するのが防止される。
【手続補正９】
【補正対象書類名】明細書
【補正対象項目名】００２９
【補正方法】変更
【補正の内容】
【００２９】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管において、前記固定体の表面と前記回転体の終端部の表面とが対向した位置に前記真空空間に連通した環状の隙間である端部開口があり、前記回転体は、前記Ｘ線ターゲットが取り付けられた第１の回転体部材と、これに隙間を保って同軸的に取り付けられた第２の回転体部材と、これに隙間を保って同軸的に取り付けられており前記動圧式すべり軸受を構成する第３の回転体部材とを含んでおり、これらの第１乃至第３の回転体部材のそれぞれの表面は結合されて実質的に閉じた空間を形成しており、この閉じた空間内に液体金属潤滑剤を投入する投入手段が前記第２の回転体部材に設けられていることを特徴とする回転陽極型Ｘ線管である。この回転陽極型Ｘ線管では、前記端部開口を通過した液体金属潤滑剤を前記実質的に閉じた空間内に閉じ込められるので液体金属潤滑剤が前記真空空間に漏出するのがより確実に防止される。このような回転体の構造を採用すると、前記第２の回転体部材と前記第３の回転体部材の隙間に液体金属潤滑剤の下記案内手段の一部分を挿入して液体金属潤滑剤を都合よく前記投入手段に導くことができる効果がある。
【手続補正１０】
【補正対象書類名】明細書
【補正対象項目名】００３５
【補正方法】変更
【補正の内容】
【００３５】
本発明の一つは、真空空間を画定する真空容器と、この真空容器の一部分に機械的に支持されるとともに前記真空容器内に突出して又は前記真空容器を貫通して設けられた概略円柱状で中心軸を有する固定体と、この固定体の外周に微小な軸受隙間を保って同軸的に嵌合された概略円筒状部分を含み且つ一部分にＸ線ターゲットが同軸的に取り付けられた回転体と、これら固定体と回転体との嵌合部に設けられたらせん溝とこの中に充填された液体金属潤滑剤を有する動圧式すべり軸受とを具備する回転陽極型Ｘ線管の製造方法において、前記Ｘ線ターゲットが取り付けられた第１の回転体部材と、これに隙間を保って同軸的に取り付けられた第２の回転体部材と、これに隙間を保って同軸的に取り付けられており前記動圧式すべり軸受を構成する第３の回転体部材とを結合して前記回転体を組立てるとともに、これらの第１乃至第３の回転体部材のそれぞれの表面を結合して実質的に閉じた空間を形成する工程と、この閉じた空間内に液体金属潤滑剤を投入する投入手段を前記第２の回転体部材に設ける工程とを含むことを特徴とする回転陽極型Ｘ線管の製造方法である。この製造方法を採用すると、回転陽極型Ｘ線管の組立工程や排気工程が簡略化でき、液体金属潤滑剤が前記真空空間に到達しない回転陽極型Ｘ線管を容易に実現できる。
【手続補正１１】
【補正対象書類名】明細書
【補正対象項目名】００４８
【補正方法】変更
【補正の内容】
【００４８】
図１、図２、図３を参照して本発明の回転陽極型Ｘ線管の構成について説明する。これらの図において、同じ部分は同じ番号を付して表している。図１は、本発明に係わる回転陽極型Ｘ線管の要部を表す断面図であって、１は内部の真空空間１ａを高真空に保つ真空容器であり、２は真空容器１内に在って電子を放出する陰極であり、３は陰極２から放出された電子が入射してＸ線を放出するＸ線ターゲットであり、４はＸ線ターゲット３から放出されたＸ線を真空容器１の外部に取り出す為のＸ線照射窓である。図１において、１０はＸ線ターゲット３を回転自在に支承する回転機構であり、２０は回転機構１０の内Ｘ線ターゲット３を回転する為の回転体であり、３０は回転体２０に嵌合されて回転体２０を回転自在に支承する固定体であり、４０は真空容器１の外から回転体２０に回転力を付与するステータである。